(57)【要約】      （修正有）【課題】甲皮に多様な色とデザインを表した演出部材を脱着可能に挿入できるように備えられた多様なデザイン演出が可能な運動靴を提供する。【解決手段】運動靴１の甲皮２０に演出部材を挿入して多様なデザイン演出ができるように設けられ、甲皮２０に連結されて透明な材質からなる透明外被と、前記透明外被の周りに形成されて開閉されるジッパーまたはジッパーロックと、前記透明外被の内側に形成されて前記演出部材が挿入される挿入空間が形成されたことを特徴とする多様なデザイン演出が可能な運動靴であって、演出部材を透明外被に挿入して一足の運動靴で多様な色とデザインを繰り返し演出することができるし、使用者の嗜好に合わせて自在に飾ることができ、何足も運動靴を購入する必要がないので、とても経済的に使える効果がある。【選択図】図１
0003214063.tif 000002
【実用新案登録請求の範囲】
【請求項１】
運動靴の甲皮に演出部材を挿入することにより、多様なデザイン演出ができるように設けられ、
甲皮に連結されて透明な材質からなる透明外被と、前記透明外被の周りに形成されて開閉されるジッパーまたはジッパーロックと、前記透明外被の内側に形成されて前記演出部材が挿入される挿入空間が形成されたことを特徴とする、多様なデザイン演出が可能な運動靴。
【請求項２】
前記演出部材が挿入される甲皮は、ヴァンプ、前補強部、後補強部及びサイド部の中で選択されたいずれか一つ以上であることを特徴とする、請求項１に記載の多様なデザイン演出が可能な運動靴。
【請求項３】
前記演出部材は、文字、数字、記号、図形、絵及び色相の中で選択されたいずれか一つ以上が含まれたことを特徴とする、請求項１に記載の多様なデザイン演出が可能な運動靴。
【請求項４】
前記演出部材は、軟質のプラスチック、布、ゴム及び紙で選択されたいずれか一つからなることを特徴とする、請求項１に記載の多様なデザイン演出が可能な運動靴。
【請求項５】
前記透明外被は、ビニールからなることを特徴とする、請求項１に記載の多様なデザイン演出が可能な運動靴。
【考案の詳細な説明】
【技術分野】
【０００１】
本考案は、運動靴に係り、より詳しくは、甲皮に多様な色とデザインを表した演出部材を脱着可能に挿入できる、多様なデザイン演出が可能な運動靴に関する。
【背景技術】
【０００２】
一般に、運動靴はゴムや皮、布などの材料で作られ、運動する際に履いたり、日常生活に履く軽くて便利な履き物であって、運動の種類によってその模様が異なり、スニーカー、ジョギングシューズ、ランニングシューズ、サッカーシューズ、テニスシューズなどに分けられる。
【０００３】
最近、運動靴は多様な色相とデザインの製品が発売されてファッション化しつつあり、様々なアクセサリーが含まれたものもあるし、消費者は自分の好みのデザインの運動靴を選択して購買している。
【０００４】
これと係る従来技術として特許文献１には、運動靴の紐のサイズに合うように固定溝を設けてアクセサリーの両側面に位置して固定溝の間に運動靴の紐が貫き、自在に多様な角度を演出することができ、アクセサリーの搖れと離脱が防止されるアクセサリーと運動靴の紐の一体化した形態を有する運動靴が公開されている。
【０００５】
しかし、上述の従来技術を始め、大概の運動靴は規格化された既製品として販売されるため、一つの色とデザインしか表現できないので、多様なファッションと雰囲気が演出し難い問題があった。
【先行技術文献】
【特許文献】
【０００６】
【特許文献１】韓国公開実用新案第２０―２００７―００００８２８号公報
【考案の概要】
【考案が解決しようとする課題】
【０００７】
本考案は、上述の問題を全て解決するために案出されたものであって、演出部材を透明外被に挿入することにより、一つの運動靴で多様な色とデザインを繰り返し演出することができ、使用者の嗜好に合わせて自在に飾ることができるし、何足も運動靴を購入する必要がないので、とても経済的に使える、多様なデザイン演出が可能な運動靴を提供することにその目的がある。
【課題を解決するための手段】
【０００８】
前記課題を解決するための本考案は、運動靴の甲皮に演出部材を挿入して多様なデザイン演出ができるように設けられ、甲皮に連結され透明な材質からなる透明外被と、前記透明外被の周りに形成されて開閉されるジッパーまたはジッパーロックと、前記透明外被の内側に形成されて前記演出部材が挿入される挿入空間が形成されたことを特徴とする、多様なデザイン演出が可能な運動靴を提供する。
【０００９】
また、本考案で前記演出部材が挿入される甲皮は、ヴァンプ、前補強部、後補強部及びサイド部の中で選択されたいずれか一つであってもよい。
【００１０】
また、本考案で前記演出部材は、文字、数字、記号、図形、絵及び色相の中で選択されたいずれか一つ以上が含まれてもよい。
【００１１】
また、本考案で前記演出部材は、軟質のプラスチック、布、ゴム及び紙から選択されたいずれか一つからなってもよい。
【００１２】
また、本考案で前記透明外被は、ビニールからなってもよい。
【考案の効果】
【００１３】
本考案によると、演出部材を透明外被に挿入することにより、一足の運動靴で多様な色とデザインを繰り返し演出することができ、使用者の嗜好に合わせて自在に飾ることができるし、何足も運動靴を購入する必要がないので、とても経済的に使える効果がある。
【図面の簡単な説明】
【００１４】
【図１】本考案の一実施例による運動靴を構成する各部分を説明した図面である。
【図２ａ】本考案の一実施例による多様な演出部材が挿入された運動靴を示す図面である。
【図２ｂ】本考案の一実施例による多様な演出部材が挿入された運動靴を示す図面である。
【図３ａ】本考案の一実施例による多様な演出部材が挿入された運動靴を示す図面である。
【図３ｂ】本考案の一実施例による多様な演出部材が挿入された運動靴を示す図面である。
【図４ａ】本考案の一実施例による多様な演出部材が挿入された運動靴を示す図面である。
【図４ｂ】本考案の一実施例による多様な演出部材が挿入された運動靴を示す図面である。
【図５ａ】本考案の一実施例による多様な演出部材が挿入された運動靴を示す図面である。
【図５ｂ】本考案の一実施例による多様な演出部材が挿入された運動靴を示す図面である。
【図６】本考案の一実施例による運動靴を示す図面である。
【考案を実施するための形態】
【００１５】
以下、図面を参考しながら本考案による多様なデザイン演出が可能な運動靴を実施するための具体的内容について実施例を中心にして詳細に説明する。
【００１６】
本考案による運動靴１は、甲皮に多様な色とデザインが表現された演出部材を脱着可能に挿入できるものであって、一つの運動靴で多様な色とデザインを繰り返し演出することができるし、使用者の嗜好に合わせて自在に飾ることができる。
【００１７】
図１を参考すれば、本考案による運動靴１は、履き物の下部であるくつの底（１０；Ｓｏｌｅ）と履き物の上部である甲皮（２０；Ｕｐｐｅｒ）に分けられ、くつの底１０は天然ゴム、合成ゴム、ポリウレタン、合成樹脂などの材質で所定の厚さを有する平たい形状からなり、甲皮２０は前の部分として足の足先部位を覆うヴァンプ（Ａ；Ｖａｍｐ）と、足指の所に本来の寸法より長さと広さを加えた余裕分の前補強部（Ｂ；Ｔｏｅ ｃａｐ）、足の裏の部分の保護と安全性のために硬い材料を使用した後補強部（Ｃ；Ｂａｃｋ ｃｏｕｎｔｅｒ）、履き物の両側面を占めてブランドが表されるサイド部（Ｄ；Ｓｉｄｅ）及び足の甲の部分を保護する役割をする舌皮（Ｅ；Ｔｏｎｇｕｅ）を含んでなる。
【００１８】
本考案による運動靴１は、このような甲皮２０に演出部材３０を挿入することによって、多様なデザイン演出ができるように備えられたものである。
【００１９】
このため、甲皮２０にビニールのような透明な材質からなる透明外被２１を縫製、接着などの方法を通じて連結し、前記透明外被２１の周りの一部にはジッパー２２を形成して開閉できるようにし、前記ジッパー２２を開放する際は、前記透明外被２１の内側の挿入空間２３に演出部材３０を挿入させて透明な透明外被２１を通して演出部材３０に印刷されたデザインが外部へ表すようになる。この時、図６のように前記ジッパー２２の代りにジッパーロック２３が形成されることができる。前記ジッパーロック２３はビニール袋によく使われるもので、内側に雄突起、及び雄突起に対応してこれを収容する雌突起が相互結合して密閉される。
【００２０】
前記演出部材３０は、軟質のプラスチック、布、ゴム及び紙から選択されたいずれか一つからなることができ、文字、数字、記号、図形、絵及び色相の中で選択されたいずれか一つ以上が印刷されてデザインされるし、これを通じて多様なデザインを有する演出部材３０を利用することによって、単調でなく、常に新しい靴を履く気持ちを感じることができる。特に、キッズの運動靴に活用することに相応しい。
【００２１】
したがって、演出部材３０の挿入と分離が便利で、透明外被を通して演出部材のデザインをそのまま外部へ表すことができるし、これを通じて一つの運動靴で多様な色とデザインを繰り返し演出することができるし、使用者の嗜好に合わせて自在に飾ることもでき、何足も運動靴を購入する必要がないので、とても経済的に使うことができる。
【００２２】
この時、前記演出部材３０が挿入される甲皮は、ヴァンプＡ、前補強部Ｂ、後補強部Ｃ 及びサイド部Ｄの中で選択されたいずれか一つ以上であることが好ましい。
【００２３】
一例として図２（ａ）を参考すれば、ヴァンプＡの外面に透明外被２１が連結され、ヴァンプＡと舌皮Ｅの境界部にジッパー２２が形成されるし、ジッパー２２を開放した後挿入空間２３に色相が印刷された演出部材３０を挿入してジッパー２２を閉めると、図２（ｂ）のように外部へ演出部材３０のデザインを表すことができる。
【００２４】
また、図３（ａ）を参考すれば、前補強部Ｂの外面に透明外被２１が連結され、ヴァンプＡと前補強部Ｂの境界部にジッパー２２が形成されるし、ジッパー２２を開放した後挿入空間２３に色相が印刷された演出部材３０を挿入してジッパー２２を閉めると、図３（ｂ）のように外部へ演出部材３０のデザインを表すことができる。
【００２５】
また、図４（ａ）を参考すれば、後補強部Ｃの外面に透明外被２１が連結され、透明外被２１の上部にジッパー２２が形成されるし、ジッパー２２を開放した後挿入空間２３に色相が印刷された演出部材３０を挿入してジッパー２２を閉めると、図４（ｂ）のように外部へ演出部材３０のデザインを表すことができる。
【００２６】
また、図５（ａ）を参考すれば、サイド部Ｄの外面に透明外被２１が連結され、透明外被の一側にジッパー２２が形成されるし、ジッパー２２を開放した後挿入空間２３に色相と記号が印刷された演出部材３０を挿入してジッパー２２を閉めると、図５（ｂ）のように外部へ演出部材３０のデザインを表すことができる。
【００２７】
同時に、図６を参考すれば、運動靴１の甲皮に複数の演出部材３０を同時に挿入することで、新しい靴を履いたように感じさせる。
【００２８】
結局、本考案による多様なデザイン演出が可能な運動靴１は、演出部材を透明外被に挿入することにより、一つの運動靴で多様な色とデザインを繰り返し演出することができるし、使用者の嗜好に合わせて自在に飾ることができ、複数の運動靴を購入する必要がないので、とても経済的に使うことができる効果がある。
【００２９】
本考案で前記実施例は、一つの例示であって、本考案がこれに限定されることはない。 本考案の実用新案登録請求の範囲に記載された技術的思想と実質的に同一の構成を有し、同一の作用効果をなすことは如何なるものであっても本考案の技術的範囲に含まれる。
【符号の説明】
【００３０】
１    運動靴
１０  くつの底
２０  甲皮
２１  透明外被
２２  ジッパー
２３  挿入空間
２５  ジッパーロック
３０  演出部材
Ａ    ヴァンプ
Ｂ    前補強部
Ｃ    後補強部
Ｄ    サイド部
Ｅ    舌皮
【図１】
0003214063.tif 000003
【図２ａ】
0003214063.tif 000004
【図２ｂ】
0003214063.tif 000005
【図３ａ】
0003214063.tif 000006
【図３ｂ】
0003214063.tif 000007
【図４ａ】
0003214063.tif 000008
【図４ｂ】
0003214063.tif 000009
【図５ａ】
0003214063.tif 000010
【図５ｂ】
0003214063.tif 000011
【図６】
0003214063.tif 000012